(57)【要約】【課題】図書館の図書には必ず付与されている分類番号や請求記号を用いることで、特別な作業を必要とすることなく、遠隔地に居る利用者に対しても、図書館に実際に足を運んで書架を眺めるのと同じ利益を提供する図書情報検索システムを提供する。【解決手段】この図書情報検索システムは、所蔵する各図書について、図書の分類番号情報を含む図書情報を格納する図書情報データベース１３と、利用者からの検索要求に応じて図書情報データベース１３を検索して該当する図書情報を取得する検索手段１２と、検索結果の図書情報を一覧形式で表示する一覧表示手段１４とを備え、検索手段１２は、一覧表示の中の図書を指定された場合、同じ分類番号の図書を検索し、一覧表示手段１４は、その検索結果の一覧情報を表示する。これにより、図書館に実際に足を運んで書架を眺めるのと同じ利益を提供することができる。【選択図】　　　　図２
2004110324.tif 000002
【特許請求の範囲】
【請求項１】
所蔵する各図書について、図書の分類番号情報を含む図書情報を格納する図書情報データベースと、利用者からの検索要求に応じて前記図書情報データベースを検索して該当する図書情報を取得する検索手段と、前記検索結果の図書情報を一覧形式で表示する一覧表示手段とを備え、前記検索手段は、前記一覧表示の中の図書を指定された場合、同じ分類番号の図書を検索し、前記一覧表示手段は、その検索結果の一覧情報を表示するようにしたことを特徴とする図書情報検索システム。
【請求項２】
請求項１に記載の図書情報検索システムにおいて、前記検索手段は、前記一覧表示の中の図書を指定された場合、指定された図書と同じ分類番号の検索結果の件数が所定数に達しないとき、該所定数に達するまで対象となる分類番号を近接した分類番号に広げるようにしたことを特徴とする図書情報検索システム。
【請求項３】
請求項２に記載の図書情報検索システムにおいて、前記検索手段は、対象となる分類番号を近接した分類番号に広げる際に、大分類の異なる分類番号は対象外とすることを特徴とする図書情報検索システム。
【請求項４】
請求項１、２または３に記載の図書情報検索システムにおいて、前記一覧表示手段は、検索結果の図書の一覧情報を請求記号の順にソートするようにしたことを特徴とする図書情報検索システム。
【請求項５】
コンピュータを、請求項１、２、３または４に記載の図書情報検索システムとして機能させるためのプログラム。
【請求項６】
請求項５に記載のプログラムを記録したコンピュータ読み取り可能な記録媒体。
【発明の詳細な説明】
【０００１】
【発明の属する技術分野】
本発明は、図書情報検索システム、プログラムおよび記録媒体に関し、特に、図書館に蔵書された図書を検索する図書情報検索技術に関する。
【０００２】
【従来の技術】
最近では、インターネットやイントラネットなどのネットワークが家庭や職場などに普及してきており、このネットワークを利用した図書検索システムにより、家庭や職場などから遠隔地にある図書館に蔵書された図書を探し出すことが可能になった。
【０００３】
この図書情報の検索方式としては、「検索者自身が指示した検索キーにより、検索を行なう方式」が一般的である。この場合、入力する検索キーは、
（１）資料情報に関する、例えば、タイトル、著者名等の書誌的事項
（２）日本十進分類表（ＮＤＣ）による分類番号
などがある。
【０００４】
この図書館で用いられる分類は、本に書かれている内容を、基礎区分（１次区分）１０分野ずつに分類し、さらに各分野を１０分野ずつに次々と分類して行く分類法で、分類した結果を“０”から“９”までの１０個の数字を使った記号で表現し、３次区分（１，０００項目）まで分類している（図１０参照）。しかし、この３次区分１，０００項目だけでは足らないので、さらに「．」以下に細分類項目を設定している。
この分類番号は、図書館職員がその専門知識を駆使して、対象図書の内容から分野を特定し図書に付与している。
【０００５】
これらの検索方法では、適切な検索キーや分類番号がわからない利用者にとっては、必要な情報が得られないことになる。
この問題点を解決するために、特許文献１の「分類番号関連ファイルを利用した資料情報検索方式」では、分類番号とその分類番号に対応する内容とを関連付けたファイルを参照して、入力した検索キーを分類番号に置き換ることにより、利用者が分類番号を意識することなく分類番号検索が行え、かつ分類番号の上位、下位レベルの参照をも行えるようにすることによって、利用者の入力した検索キーにとらわれることなく、適切かつ広範囲な検索を可能としている。
【０００６】
一方、図書館の書架には、図書が上述した分類番号の順に配架されており、その結果、関連のある本がひとまとまりに配置されるようになっている（図１１参照）。さらに、各図書には、通常、分類番号と図書記号からなる請求記号が付与されている。この図書記号は、同じ分類番号の図書の並び順を決めるためのもので、一般には書名や著者名の頭文字からとったものである。
【０００７】
このように図書が配架されたときに、上述のような資料情報検索方式によってネットワークを介して接続し、資料（図書）を検索した場合、図書館に実際に足を運んで書架に配置された図書を眺めることによって生ずる利点を享受することができないという問題点がある。
【０００８】
例えば、図書館に実際に足を運んだ場合、目的とする図書の周辺に配置されている図書に興味を持ち、その図書を手に取った結果、「こちらの図書の方が重要である」と認識することは少なくない。
【０００９】
この問題点を解決するために、特許文献２の「図書情報提供サーバ、図書情報提供方法、およびその方法をコンピュータに実行させるプログラムを記録したコンピュータ読み取り可能な記録媒体」では、利用者により所望の書架が指定された場合に、書架に収納した各図書の表紙または背表紙の図柄または文字を利用者が認識し得るよう近接撮像した映像データを提供し、図書館に実際に足を運んで書架に配置された図書を眺めることによって生ずる利点を、ネットワークを介して遠隔地から図書情報を検索する利用者に対しても提供できるようにした。
【００１０】
【特許文献１】
特願平８−３１４９５６号公報
【特許文献２】
特開２００２−１４９６６２号公報
【００１１】
【発明が解決しようとする課題】
しかしながら、特許文献１の技術では、分類番号に対応する内容を保持する分類番号関連ファイルを準備するのに多大な労力が必要となってくる。
また、特許文献２の技術では、書架に収納した各図書の表紙または背表紙の図柄または文字を利用者が認識し得るよう近接撮像した映像データの撮影には多大な時間・労力・費用が必要となってくる。また、図書が新しく配架されたり、廃棄処分された場合には、新たな映像データを作成しなければならない。
【００１２】
本発明は、上述のような実情を考慮してなされたものであって、図書館の図書には必ず付与されている分類番号や請求記号を用いることで、特別な作業を必要とすることなく、遠隔地に居る利用者に対しても、図書館に実際に足を運んで書架を眺めるのと同じ利益を提供する図書情報検索システム、図書情報検索システムの機能を実現するためのプログラムおよびそのプログラムを記録したコンピュータ読み取り可能な記録媒体を提供することを目的とする。
【００１３】
【課題を解決するための手段】
上記の課題を解決するために、本発明の請求項１の図書情報検索システムは、所蔵する各図書について、図書の分類番号情報を含む図書情報を格納する図書情報データベースと、利用者からの検索要求に応じて前記図書情報データベースを検索して該当する図書情報を取得する検索手段と、前記検索結果の図書情報を一覧形式で表示する一覧表示手段とを備え、前記検索手段は、前記一覧表示の中の図書を指定された場合、同じ分類番号の図書を検索し、前記一覧表示手段は、その検索結果の一覧情報を表示するようにしたことを特徴とする。
また、本発明の請求項２は、請求項１に記載の図書情報検索システムにおいて、前記検索手段は、前記一覧表示の中の図書を指定された場合、指定された図書と同じ分類番号の検索結果の件数が所定数に達しないとき、該所定数に達するまで対象となる分類番号を近接した分類番号に広げるようにしたことを特徴とする。
【００１４】
また、本発明の請求項３は、請求項２に記載の図書情報検索システムにおいて、前記検索手段は、対象となる分類番号を近接した分類番号に広げる際に、大分類の異なる分類番号は対象外とすることを特徴とする。
また、本発明の請求項４は、請求項１、２または３に記載の図書情報検索システムにおいて、前記一覧表示手段は、検索結果の図書の一覧情報を請求記号の順にソートするようにしたことを特徴とする。
【００１５】
また、本発明の請求項５のプログラムは、コンピュータを、請求項１、２、３または４に記載の図書情報検索システムとして機能させるためのプログラムである。
また、本発明の請求項６の記録媒体は、請求項５に記載のプログラムを記録したコンピュータ読み取り可能な記録媒体である。
【００１６】
上記の構成により、図書館の図書には必ず付与されている分類番号や請求記号を用いることで、特別な作業を必要とすることなく、遠隔地に居る利用者に対しても、図書館に実際に足を運んで書架を眺めるのと同じ利益を提供することができる。
【００１７】
【発明の実施の形態】
以下、図面を参照して、本発明の図書情報検索システムに係る好適な実施形態を説明する。なお、以下の実施形態においては、図書館の書架に配置された図書情報を提供する場合に適用した例を用いて本発明を説明するが、図書館に限らず階層をもった分類（ＮＤＣに限らず）で分類されて棚に配置された任意の商品に係る情報を提供する場合にも同様に適用することができる。
【００１８】
図１は、本実施形態に係る図書情報検索システムの全体構成を示すブロック図であり、同図に示すように、本実施形態に係る図書情報検索システムは、複数の利用者端末２０と、図書情報検索サーバ１０とを、インターネットやイントラネットなどのネットワーク３０を介して通信可能に接続して構成される。
【００１９】
このような構成において、図書情報検索サーバ１０は、利用者端末２０からの検索条件に合致する図書館に所蔵した図書を検索し、その検索結果の一覧表を表示する。利用者は、利用者端末２０の画面に表示された一覧表から適宜図書を指定して、その詳細な情報を図書情報検索サーバ１０へ問い合わせて内容を確認する。
利用者は、この確認操作で、所望の図書が見つからなかったときには、選択した図書の分類に類似した分類（例えば、その分類の上位分類）を持つ図書を図書情報検索サーバ１０で検索して、検索結果を請求記号順にソートした一覧表を利用者端末２０へ表示する。
ここで、類似した分類を持つ図書は、書架に配架したとき近接しておかれるので、類似した図書の一覧表を見ることによって、利用者に図書館へ実際に足を運ぶことと同等の環境を提供することができる。
【００２０】
図２は、図１に示した図書情報検索サーバ１０の機能構成を示すブロック図であり、同図に示すように、図書情報検索サーバ１０は、検索条件入力手段１１、検索手段１２、図書情報データベース（ＤＢ）１３、一覧表示手段１４、図書情報表示手段１５とを含んでいる。
【００２１】
利用者がこのように記憶された図書情報から所望の図書を検索したい場合、利用者端末２０から図書情報検索サーバ１０を呼び出すと、検索条件入力手段１１が起動され、例えば、図４のような検索条件入力画面を利用者端末２０に送信する。
利用者は、利用者端末２０の画面に表示された検索条件入力画面に所定の条件を入力し、検索ボタンを押すと、入力された検索条件が検索条件入力手段１１へ返信される。
【００２２】
図書情報検索サーバ１０は、検索手段１２を起動して、送信された検索条件をもとに、図書情報ＤＢ１３を検索し、条件に合致した検索結果を作成する。
この図書情報ＤＢ１３は、図書館内の各書架に配置された各図書、すなわち図書館において所蔵されるすべての図書に関する情報を記憶する。この情報は、図３に示すように、少なくとも、各図書を一意に識別するための資料ＩＤと、各図書の書誌事項（例えば、書名、著者名、出版社、出版年、刊行年、分類番号、請求記号など）とで構成される。
【００２３】
続いて、図書情報検索サーバ１０は、一覧表示手段１４を起動し、検索結果を一覧表に変換して、利用者端末２０へ送信する。
利用者端末２０は、受信した書名、著者名、出版社、刊行年等からなる一覧表を画面へ表示する。
利用者は、この表示された一覧から適宜選択した図書の情報を送信するように、図書情報検索サーバ１０へ要求する。
図書情報検索サーバ１０は、この要求により図書情報表示手段１５を起動して、要求された図書の図書情報を図書情報ＤＢ１３から取り出して、利用者端末２０へ返信する。
【００２４】
利用者端末２０は、受信した図書情報を図５のような形式で画面へ表示する。利用者は、表示された図書情報や先に表示された一覧表示とを考慮して所望の図書を決定する。
ここで利用者が、図書情報を表示した際、その図書に近接して書架に配架された別の図書を見たいときには、「周りの本を見る」ボタンを押す。
このボタンを押すと、この図書の分類番号が図書情報検索サーバ１０へ送信され、検索手段１２が起動される。
検索手段１２は、利用者端末２０から送信された分類番号と同じ分類番号を持った図書を図書情報ＤＢ１３から検索する。一覧表示手段１４は、この検索結果を請求記号順にソートした一覧表を利用者端末２０へ返信する。
【００２５】
利用者端末２０は、この一覧表を受信し、図６のような、書名、編著者名、出版社、刊行年、巻号等による検索結果を表示する。
このように表示すると、例えば、図１１に示すように、指定した検索図書に対して、近接して配架された図書にどのようなものがあるかを遠隔地から知ることができる。
【００２６】
以下、上述した実施形態の変形例について説明する。
上述の実施形態では、図書情報を表示した際、その図書に近接して書架に配架された別の図書を見たいときに、「周りの本を見る」ボタンを押した場合、検索手段１２では同じ分類番号をもつ図書の検索を行っていた。
しかし、指定した図書と同じ分類番号をもつ図書の数が少ないときには、近接して配架される図書の分類番号は同じものではなくなる。
この変形例では、同じ分類番号だけではなく、所定の数の検索結果が得られるまで、この分類番号に近接した分類番号に対しても検索するようにして、さらに、図書館に実際に足を運んで書架を眺めるのと同じような効果を挙げることができる。
【００２７】
図７は、本変形例における図書情報検索サーバの機能構成を示すブロック図であり、同図に示すように、図書情報検索サーバ１０は、検索条件入力手段１１、検索手段１２、図書情報データベース（ＤＢ）１３、一覧表示手段１４、図書情報表示手段１５、上位分類決定手段１６とを含んでいる。
これらの構成要素のうち上述の実施形態を同じ機能を有するものには同じ符号をつけ、その機能については相違点のみ説明する。
【００２８】
図８は、本変形例における検索手段１２の処理手順を説明するフローチャートであり、同図を用いて検索手段１２および上位分類決定手段１６を説明する。
まず、利用者端末２０から受信した図書の分類番号をメモリＣへ格納するとともに、検索結果の最低件数をメモリＭＩＮへ格納する（ステップＳ１）。
【００２９】
メモリＣに記憶されている分類番号に属する図書を、図書情報ＤＢ１３から検索する（ステップＳ２）。
上述の「分類番号に属する」とは、この番号分類に含まれる下位の分類を含めることを意味しており、例えば、メモリＣに記憶されている分類番号が２次区分の分類であれば、３次区分およびその下位の細目を含んだ検索を行う。また、メモリＣの分類が３次区分の分類番号であれば、下位の細目を含んだ検索を行う。例えば、Ｃ＝６２であれば、「６２０、６２１、…、６２９」とこれらの細目を含めてすべて検索対象とする。
Ｃ＝６２７．７であれば、「６２７．７０〜６２７．７９」をすべて検索対象とする。
【００３０】
この検索結果の件数が最低表示件数（ＭＩＮ）より多ければ（ステップＳ３のＹＥＳ）、検索を終了する。
一覧表示手段１４は、この検索結果を請求記号順にソートして利用者端末２０へ返信する。
【００３１】
一方、検索結果の件数が最低表示件数（ＭＩＮ）に満たないときには（ステップＳ３のＮＯ）、メモリＣに記憶されている分類番号が大分類（１次区分）である場合（ステップＳ４のＹＥＳ）、検索を終了する。
しかし、メモリＣに記憶されている分類番号が大分類（１次区分）でない場合（ステップＳ４のＮＯ）、上位分類番号を決定して、メモリＣへ格納し（ステップＳ５）、ステップＳ２へ戻る。
【００３２】
分類番号は、前述したように十進分類されているので、与えられた分類番号の最終桁を削除することによって、上位の分類番号を得ることができる。
例えば、図９（Ａ）を用いて説明すると、「バラ」の分類番号「６２７．７７」の上位分類は「６２７．７（鑑賞花木）」であり、さらに、上位分類は「６２７（花卉園芸（草花））」である。
この上位分類番号の探索は、最上位の分類番号（１次区分）に来たときに停止する。この「バラ（６２７．７７）」の場合には、「６（産業）」に到達したときに停止することになる。
また、図９（Ｂ）の「６２８．３（ジャム類）」の上位分類番号は「６２８（園芸利用）」であり、さらに、上位の分類番号は「６２（園芸）」であり最上位の分類は同じく「６（産業）」である。
【００３３】
このように、検索結果が少ないときには、分類番号の規則に基づき指定された分類番号の近接した分類番号の検索結果も表示することにより、遠隔地に居る利用者に対しても、図書館に実際に足を運んで書架を眺めるのと同じ利益を提供することができる。
【００３４】
さらに、本発明は上述した実施形態のみに限定されたものではない。上述した実施形態の図書情報検索システムを構成する各機能をそれぞれプログラム化し、あらかじめＣＤ−ＲＯＭ等の記録媒体に書き込んでおき、このＣＤ−ＲＯＭをＣＤ−ＲＯＭドライブのような媒体駆動装置を搭載したコンピュータに装着して、これらのプログラムをコンピュータのメモリあるいは記憶装置に格納し、それを実行することによって、本発明の目的が達成されることは言うまでもない。
この場合、記録媒体から読み出されたプログラム自体が上述した実施形態の機能を実現することになり、そのプログラムおよびそのプログラムを記録した記録媒体も本発明を構成することになる。
【００３５】
なお、記録媒体としては半導体媒体（例えば、ＲＯＭ、不揮発性メモリカード等）、光媒体（例えば、ＤＶＤ、ＭＯ、ＭＤ、ＣＤ−Ｒ等）、磁気媒体（例えば、磁気テープ、フレキシブルディスク等）等のいずれであってもよい。
【００３６】
また、ロードしたプログラムを実行することにより上述した実施形態の機能が実現されるだけでなく、そのプログラムの指示に基づき、オペレーティングシステム等が実際の処理の一部または全部を行い、その処理によって上述した実施形態の機能が実現される場合も含まれる。
【００３７】
また、上述したプログラムをサーバコンピュータの磁気ディスク等の記憶装置に格納しておき、インターネット等の通信網で接続された利用者のコンピュータからダウンロード等の形式で頒布する場合、このサーバコンピュータの記憶装置も本発明の記録媒体に含まれる。
【００３８】
【発明の効果】
以上説明したように本発明によれば、図書館の図書には必ず付与されている分類番号や請求記号を用いることで、特別な作業を必要とすることなく、遠隔地に居る利用者に対しても、図書館に実際に足を運んで書架を眺めるのと同じ利益を提供することができる。
【図面の簡単な説明】
【図１】実施形態に係る図書情報検索システムの全体構成を示すブロック図である。
【図２】実施形態の図書情報検索サーバの機能構成を示すブロック図である。
【図３】図書情報ＤＢのデータ構造を説明するための図である。
【図４】検索条件入力画面の例を示す図である。
【図５】図書情報を表示する画面の例を示す図である。
【図６】「周りの本を見る」ボタンにより実行された検索一覧表示例である。
【図７】変形例の図書情報検索サーバの機能構成を示すブロック図である。
【図８】変形例の検索手段と上位分類決定手段の処理手順を説明するためのフローチャートである。
【図９】分類番号の上位分類番号を説明するための図である。
【図１０】日本十進分類表（ＮＤＣ）の体系を説明するための図である。
【図１１】図書の配架状況を説明するための図である。
【符号の説明】
１０…図書情報検索サーバ、１１…検索条件入力手段、１２…検索手段、１３…図書情報データベース（ＤＢ）、１４…一覧表示手段、１５…図書情報表示手段、１６…上位分類決定手段、２０…利用者端末、３０…ネットワーク。
【図１】
2004110324.tif 000003
【図２】
2004110324.tif 000004
【図３】
2004110324.tif 000005
【図４】
2004110324.tif 000006
【図５】
2004110324.tif 000007
【図６】
2004110324.tif 000008
【図７】
2004110324.tif 000009
【図８】
2004110324.tif 000010
【図９】
2004110324.tif 000011
【図１０】
2004110324.tif 000012
【図１１】
2004110324.tif 000013